(57)【要約】【課題】ブレーズド型回折格子セルのみのディスプレイやバイナリ型回折格子セルのみのディスプレイよりも、高度のセキュリティ性、豊かな意匠性のある回折格子セルを有するディスプレイを提供すること。【解決手段】セルを基材上に複数個配置してパターンを表示するディスプレイであって、前記セルは回折格子が構成される回折格子セルであり、前記回折格子セルが、ブレーズド型回折格子による回折格子セルとバイナリ型回折格子による回折格子セルの双方から成るディスプレイを提供する。【選択図】図７
2004184725.tif 000002
【特許請求の範囲】
【請求項１】
セルを基材上に複数個配置してパターンを表示するディスプレイにおいて、前記セルは回折格子から構成される回折格子セルであり、前記回折格子セルが、ブレーズド型回折格子による回折格子セルとバイナリ型回折格子による回折格子セルの双方を有することを特徴とするディスプレイ。
【請求項２】
前記ディスプレイにおいて、回折格子が形成されていない領域を有することを特徴とする請求項１に記載のディスプレイ。
【請求項３】
前記回折格子セルをならべた際のセルとセルの間に、回折格子が形成されていない領域があることを特徴とする請求項１あるいは２のいずれかに記載のディスプレイ。
【請求項４】
前記回折格子セルの面積が相互に異なることを特徴とする請求項１乃至３のいずれかに記載のディスプレイ。
【請求項５】
ブレーズド型回折格子セル及びバイナリ型回折格子セルを、パターンを構成する画素として用い、パターン上の各画素の明るさを、回折効率と面積の積に略比例させていることを特徴とする請求項１記載のディスプレイ。
【請求項６】
バイナリ型回折格子セルが文字や記号、絵柄状に配置され、前記文字や記号、絵柄状の領域以外の領域にはブレーズド型回折格子セルが配置されていることを特徴とする請求項１乃至５のいずれかに記載のディスプレイ。
【請求項７】
ブレーズド型回折格子セルが文字や記号、絵柄状に配置され、前記文字や記号、絵柄状の領域以外の領域にはバイナリ型回折格子セルが配置されていることを特徴とする請求項１乃至５のいずれかに記載のディスプレイ。
【請求項８】
ブレーズド型回折格子セル、バイナリ型回折格子セルの少なくとも一方が３種類以上の空間周波数から成る回折格子から構成されていることを特徴とする請求項１乃至７のいずれかに記載のディスプレイ。
【請求項９】
立体像を表示するための複数の視差画像に対応する回折格子セルを順番に規則的に配置し、前記視差画像毎に回折格子の方向を変化させてあり、
前記回折格子セルがブレーズド型回折格子セル及びバイナリ型回折格子セルであることを特徴とする請求項１乃至８のいずれかに記載のディスプレイ。
【請求項１０】
前記ディスプレイが部分的に金属反射膜を有していることを特徴とする請求項１乃至９のいずれかに記載のディスプレイ。
【請求項１１】
請求項１乃至１０のいずれかのディスプレイを有することを特徴とするシート状媒体。
【請求項１２】
請求項１乃至１０のいずれかのディスプレイを有することを特徴とする物品。
【発明の詳細な説明】
【０００１】
【発明が属する技術分野】
本発明は、ブレーズド型回折格子及びバイナリ型回折格子双方から構成されるディスプレイに係り、更に詳しくは、通常の観察方向からの観察におけるディスプレイの品質を損ねることなく、異なる方向からの観察時においても別のパターンが観察可能なディスプレイに関する。
【０００２】
【従来の技術】
回折格子セルによるパターン（絵柄）は通常の印刷技術では表現することのできない指向性のある光沢を有することからディスプレイの用途や偽造防止を目的としたセキュリティ商品に広く用いられており、より多彩でオリジナリティの高いパターンを作製することが求められている。
このような要求に応じるために、平面状の基板の表面に、回折格子からなる微小なセルを複数個配置することにより構成されるディスプレイが公知である。
上記ディスプレイを作製する方法として、電子ビーム露光装置を用い、かつコンピュータ制御により、平面状の基板が載置されたＸ−Ｙステージを移動させて、基板の表面に、回折格子からなる複数の微小なセルを配置することにより、パターンが形成されたディスプレイを作製する方法が提案されている。（特許文献１、特許文献２を参照。）
【０００３】
【特許文献１】
特開平２−７２３２０号公報
【特許文献２】
米国特許第５，０５８，９９２号明細書
【０００４】
このようなディスプレイに用いられるバイナリ型回折格子はその断面が矩形状もしくは正弦波状であり、典型的な格子ピッチは０．５〜２μｍ程度、格子深さは０．１〜１μｍ程度である。矩形状もしくは正弦波状の断面形状を有するバイナリ型回折格子に対して垂直に光を入射した場合、その回折光は図１及び図２にそれぞれ示すように＋ｎ次の方向及び−ｎ次の方向にほぼ均等に分布し、±１次回折光の光量がもっとも多く、次数が増えるに従い光量は減少していく。
【０００５】
回折格子セルによるパターンのパラメータとして、
（１）回折格子の空間周波数（格子線のピッチ）
（２）回折格子の方向（格子線の方向）
（３）回折格子の描画領域（回折格子セルの配置）
の３つがあり、
（１）に応じて、定点に対してその回折格子セルが光って見える色が変化し、
（２）に応じて、その回折格子セルが光って見える方向が変化し、
（３）に応じて、表示パターン（絵柄）が決定される。
【０００６】
ところで、従来のバイナリ型回折格子によるパターンでは通常、＋１次回折光を観察する光としてディスプレイを作成する。すなわち、観察者がディスプレイを観察している際に−１次回折光や高次の回折光は不要な光となる。
これまで、回折格子セルから成るディスプレイとしてはバイナリ型回折格子のみを用いたものが一般的であった。このようなディスプレイでは、＋１次回折光を利用して、ある観察領域においてパターンを表現した際に、対称となる方向に対しても−１次回折光が射出されることから同様の絵柄が観察されてしまうこととなる。
【０００７】
一方、図３のようにブレーズド型回折格子はその断面形状がのこぎり刃状であり、垂直方向からの入射光に対し、その回折光は＋１次の方向に強くあらわれ、−１次の方向や高次の方向にはほとんどあらわれないという光学作用がある。すなわち、ブレーズド型回折格子は、バイナリ型回折格子と比較して非常に高い回折効率を得ることができ、また光の進行方向を厳密に制御できるので、光の利用効率が高いものである。また図４のように断面形状が片側のみ階段状となっているブレーズド型回折格子でものこぎり刃状の断面形状をもつブレーズド型回折格子よりは光の利用効率はやや劣るが同様の機能を実現できる。
【０００８】
このブレーズド型回折格子のみを用いたディスプレイでは、＋１次回折光を利用して、ある観察領域においてパターンを表現した際に、非常に高輝度なパターンが得られるが、他の領域には回折光は射出されないため何のパターンも表示されることはない。
なお、本特許においてはバイナリ型回折格子が構成された回折格子セルをバイナリ型回折格子セル、ブレーズド型回折格子が構成された回折格子セルをブレーズド型回折格子セルとして、以後の説明を統一する。
また、バイナリ型回折格子の場合、＋１次回折光も−１次回折光も観察する向きを固定した場合の呼び方であって、観察する向きを逆にすると両者は反転する。すなわち、本質的に両者は同じである。また、ブレーズド型回折格子の場合、＋１次回折光が強く出て、−１次光は殆どでないが、観察する向きを逆にすれば、−１次光が強く出るという言い方もできる。
【０００９】
【発明が解決しようとする課題】
しかしながら、バイナリ型回折格子セルのみによるディスプレイや、ブレーズド型回折格子セルのみによるディスプレイでは、セキュリティ性が不十分な場合や意匠性が低い場合があり、より高度のセキュリティ性、豊かな意匠性のあるディスプレイが望まれていた。
本発明は、これらの課題を解決するものであり、より高度のセキュリティ性、豊かな意匠性のあるディスプレイを提供するものである。
【００１０】
【課題を解決するための手段】
請求項１に記載の発明は、
セルを基材上に複数個配置してパターンを表示するディスプレイにおいて、前記セルは回折格子から構成される回折格子セルであり、前記回折格子セルが、ブレーズド型回折格子による回折格子セルとバイナリ型回折格子による回折格子セルの双方を有することを特徴とするディスプレイである。
【００１１】
請求項２に記載の発明は、
前記ディスプレイにおいて、回折格子が形成されていない領域を有することを特徴とする請求項１に記載のディスプレイである。
【００１２】
請求項３に記載の発明は、
前記回折格子セルをならべた際のセルとセルの間に回折格子が形成されていない領域があることを特徴とする請求項１あるいは２のいずれかに記載のディスプレイである。
【００１３】
請求項４に記載の発明は、
前記回折格子セルの面積が相互に異なることを特徴とする請求項１乃至３のいずれかに記載のディスプレイである。
【００１４】
請求項５に記載の発明は、
ブレーズド型回折格子セル及びバイナリ型回折格子セルを、パターンを構成する画素として用い、パターン上の各画素の明るさを、回折効率と面積の積に略比例させていることを特徴とする請求項１記載のディスプレイである。
【００１５】
請求項６に記載の発明は、
バイナリ型回折格子セルが文字や記号、絵柄状に配置され、前記文字や記号、絵柄状の領域以外の領域にはブレーズド型回折格子セルが配置されていることを特徴とする請求項１乃至５のいずれかに記載のディスプレイである。
【００１６】
請求項７に記載の発明は、
ブレーズド型回折格子セルが文字や記号、絵柄状に配置され、前記文字や記号、絵柄状の領域以外の領域にはバイナリ型回折格子セルが配置されていることを特徴とする請求項１乃至５のいずれかに記載のディスプレイである。
【００１７】
請求項８に記載の発明は、
ブレーズド型回折格子セル、バイナリ型回折格子セルの少なくとも一方が３種類以上の空間周波数から成る回折格子から構成されていることを特徴とする請求項１乃至７のいずれかに記載のディスプレイである。
【００１８】
請求項９に記載の発明は、
立体像を表示するための複数の視差画像に対応する回折格子セルを順番に規則的に配置し、前記視差画像毎に回折格子の方向を変化させてあり、
前記回折格子セルがブレーズド型回折格子セル及びバイナリ型回折格子セルであることを特徴とする請求項１乃至８のいずれかに記載のディスプレイである。
【００１９】
請求項１０に記載の発明は、
前記ディスプレイが部分的に金属反射膜を有していることを特徴とする請求項１乃至９のいずれかに記載のディスプレイである。
【００２０】
請求項１１に記載の発明は、
請求項１乃至１０のいずれかのディスプレイを有することを特徴とするシート状媒体である。
【００２１】
請求項１２に記載の発明は、
請求項１乃至１０のいずれかのディスプレイを有することを特徴とする物品である。
【００２２】
【発明の実施の形態】
以下、本発明の実施形態について、図面を参照して詳細に説明する。
まず、バイナリ型回折格子セルについて実施の形態を説明する。
図５は従来のバイナリ型回折格子セルから成るディスプレイを異なる２つの観察領域から観察した様子を示す概念図である。ここで２つの観察領域は、ディスプレイに対し垂直方向から光が入射した際の＋１次回折光及び−１次回折光がそれぞれ観察される領域とする。
また、セル内の回折格子はすべて観察方向に対し水平であるとする。このような観察条件により観察されるパターンは＋１次回折光による絵柄と−１次回折光による絵柄（「Ｆ」の文字）とでほぼ光量が等しく、絵柄は双方の観察領域において観察される。
【００２３】
尚、図５のように絵柄を表現する際に、いずれの方向にも回折光を射出しないセルが必要な場合は回折格子の構成されていない領域を設ければよい。図５においては、回折格子の構成されていない領域がセル単位で記載されているが、実際は、セルの境目に相当する線は刻まれてなく、連続した平らな領域が存在するのみである。
【００２４】
次に、ブレーズド型回折格子セルについて実施の形態を説明する。
図６はブレーズド型回折格子セルから成るディスプレイを図５と同様の条件により観察した際の様子を示した説明図である。ここではブレーズド型回折格子の機能により＋１次回折光の観察領域のみで絵柄が強い光量で観察され、ディスプレイを上下反転し−１次回折光の観察領域で観察した場合では−１次回折光はほとんど射出されないため、絵柄を観察することはできない。
【００２５】
次に、バイナリ型回折格子セルとブレーズド型回折格子セルの双方を同一基材上に配置したディスプレイについて実施の形態を説明する。
これらのセルを同一基材上に配置した実施例を図７に示す。尚、図７においてはバイナリ型回折格子セルとブレーズド型回折格子セルの識別を容易にするため、バイナリ型回折格子セルをやや暗い色調で示した。図７に示したディスプレイを＋１次回折光の観察領域から観察すると図８のようにバイナリ型回折格子セルとブレーズド型回折格子セルの双方によるディスプレイ全面が回折光を射出するパターンが観察され、一方、ディスプレイを上下反転し、−１次回折光の観察領域で観察した場合では図９のようにバイナリ型回折格子セルのみによるパターン、すなわち「Ｔ」の文字を観察することができ、ブレーズド型回折格子による回折光は観察されない。このように上記双方の回折格子セルを適宜基材上に配置することで、従来のバイナリ型回折格子セルのみによるディスプレイや、ブレーズド型回折格子セルのみによるディスプレイでは不可能であった＋１次回折光の観察領域と−１次回折光の観察領域とで異なる絵柄を表示することが可能となる。
【００２６】
次に、回折格子の光量の調整について実施の形態を説明する。
本発明においては基材上にバイナリ型回折格子セルとブレーズド型回折格子セルの双方が配置されるがそれらはこれまでに述べたように＋１次回折光の回折効率が大きく異なる。
このような回折効率が異なる各回折格子セルから射出される＋１次回折光の光量を制御するためには、回折格子セルの大きさ（面積）を変化させることが有効である。
【００２７】
本発明によるディスプレイはこのような方法により、パターンを構成する画素として用いられる各回折格子セルの＋１次回折光の光量を任意に制御し、パターン上の各画素の明るさを、回折格子による＋１次回折光の回折効率とセルの面積の積にほぼ比例させていることを特徴としている。すなわち、図１０に例示するように、同一の空間周波数及び方向をもつ回折格子から成るバイナリ型回折格子セルとブレーズド型回折格子セルが同一の大きさで配置されている場合、＋１次回折光の光量に大きな差があるため、ブレーズド型回折格子セルは明るく知覚され、バイナリ型回折格子セルは暗く知覚されることで観察した際に光量の不均一な分布がムラとなって知覚されたり、バイナリ型回折格子セルとブレーズド型回折格子セルの双方を用いていることが明確化してしまうなどして、高いセキュリティ性が得られなくなったり、絵柄を表現する上での制約となる。一方で図１１のように、パターン上の複数の画素が同値の明るさをもつ回折格子セルからなる場合、ブレーズド型回折格子セルの大きさ（面積）を小さくすることで、双方の回折効率とセルの面積の積がほぼ一致し、バイナリ型回折格子セルの＋１次回折光の光量と同程度の光量が得られるようになる。これにより、任意のパターンを高品位に表示しながら、ブレーズド型回折格子セルとバイナリ型回折格子セルを自由に基板上に配置することができる。＋１次回折光によって観察されるパターンとして、明るさに変化がある階調絵柄を表現した場合、暗い画素に対応する回折格子セルでは、バイナリ型回折格子セルもブレーズド型回折格子セルも明るい画素に対応する各回折格子セルと比較してそれぞれ小さい面積で構成されることとなる。尚、回折格子の深さを変化させるなどの方法によっても回折効率を変化させることは可能であるが、ブレーズド型回折格子の深さを変化させると、＋１次回折光以外の成分が多くあらわれるなどして、ブレーズド型回折格子の光学作用が十分に得られなくなるので、ここに示した回折格子セルの面積を変化させる方法が最も有効である。
【００２８】
なお、図１１に示すように、セルとせるの間のライン状の領域に回折格子を刻まない領域があってもよい。
【００２９】
次に、ブレーズド型回折格子セル、バイナリ型回折格子セルのいずれか一方で、−１次回折光の観察領域に対して、文字や記号、絵柄状を表現する場合の実施の形態を説明する。
本発明によるディスプレイではブレーズド型回折格子セルとバイナリ型回折格子セルを適宜配置し、＋１次回折光の観察領域と−１次回折光の観察領域とで異なるパターンを表示することが特徴であり、いずれかの回折格子セルを文字や記号、絵柄状に配置することで＋１次回折光の観察領域では見られないパターンを、−１次回折光の観察領域に対して表示することができる。
【００３０】
図１２，１３は、−１次回折光の観察領域でパターンを観察した際に、複数個のバイナリ型回折格子セルが「ＴＯＰ」という文字になるように配置し、その周辺にブレーズド型回折格子セルを配置した例である。このような配置にすることで、＋１次回折光の観察領域では図１２のように、バイナリ型回折格子セルとブレーズド型回折格子セルの双方によるパターンが観察されるが、−１次回折光の観察領域では図１３のように、バイナリ型回折格子セルによる「ＴＯＰ」という文字だけが観察されるディスプレイが実現される。ここで、上述したように、バイナリ型回折格子セルとブレーズド型回折格子セルの＋１次回折光の光量を制御することで、＋１次回折光の観察領域において「ＴＯＰ」という文字が認識されることはなくなる。
また、図１４のようにブレーズド型回折格子セルを「ＴＯＰ」の文字になるように配置することで、−１次回折光の観察領域では「ＴＯＰ」の文字部分だけが光らなくなり、図１３とは明暗が逆となるパターンを得ることができる。
【００３１】
次に、回折格子の空間周波数を３種類以上設ける場合について実施の形態を説明する。
回折格子セルによるディスプレイで図１５のように、Ｒ（赤）、Ｇ（緑）、Ｂ（青）に対応する空間周波数をもった回折格子セルを規則的に配置し、それぞれのセルの射出光量を制御することで写真やイラストのようなカラー階調画像を表示することができる。このようなＲＧＢ各セルが整然と配置されたディスプレイについてもブレーズド型回折格子セルとバイナリ型回折格子セルの双方を使用し、＋１次回折光の観察領域で観察されるカラー画像を表示すると同時に、−１次回折光の観察領域で別のパターンを表示することができる。図１０において、やや暗い色調で表現した回折格子セルがバイナリ型回折格子セルである。写真やイラスト等の画像は通常、観察する方向があらかじめ決定されており、画像をひっくり返して見ることは稀であるので、本発明による機能となじみやすい。
なお、フルカラー画像を表示する方法として、ＲＧＢに対応する３種類の回折格子セルだけでなくいくつか別の空間周波数をもつ回折格子セルも使用し４種類以上のセルを規則的に配置することでより自然なカラー表現が可能であり、そのような場合においても本発明の適用は可能である。
【００３２】
次に、立体感のあるディスプレイとする場合について実施の形態を説明する。
回折格子セルによるディスプレイで奥行き感のある立体像を表示することもできる。図１６のように立体像に対する複数の視差画像を用意し、図１７のように各視差画像の画素に対応する回折格子セルを規則的に配置し、視差画像毎に回折格子の方向を変化させることで立体像を表現することができる。このようなディスプレイにおいても同様に本発明の適用が可能である。尚、図１７においてもバイナリ型回折格子をやや暗い色調で示した。
尚、これまでの説明では回折格子セルに構成される回折格子として、直線状のものを例示してきたが、曲線状のものであってもよい。
【００３３】
以上、光学的な側面について実施の形態を説明した。以下には、材料面、製造方法面での実施の形態を説明する。下記する例は、本発明の実施の形態の一部であって、現在公知の様々な実施の形態で代わるものを適宜選択できるのはもちろんである。
【００３４】
本発明のディスプレイにおいて、基材としては、例えば、ＰＥＴ（ポリエチレンテレフタレート）、ＰＥＮ（ポリエチレンナフタレート）、ＰＰ（ポリプロピレン）などのプラスチックフィルムを用いることができる。但し、本発明の効果を奏すれば、これらに限らない。
【００３５】
これらの基材に本発明の回折格子を形成する際には、この回折格子の凹凸の逆型が形成された金型を用いてエンボスすればよい。金型を使わずに、基材に直接に電子ビームにより露光し凹凸の溝を形成してもよい。
【００３６】
金型でエンボスする場合、基材が回折構造の成形性が充分でない場合には、基材に回折格子形成層を追加することができる。材料としては、２液硬化性樹脂、熱可塑性樹脂、熱硬化性樹脂などを用いることができる。
【００３７】
回折格子形成層の上から金型でエンボスし、エンボスされた凹凸面に金属反射層を設ける。すなわち、層構成としては、基材／回折格子形成層／金属反射層の順番になる。
【００３８】
意匠性を上げるために、金属反射層を一部、パターン状に除去することなどによって、金属反射面が複雑な形状（たとえば、穴が空いている形状など）をした構成とすることもできる。
【００３９】
次に、本発明のディスプレイをシート状媒体に付した構成について実施の形態を説明する。
シート状媒体としては、転写箔形態にしたもの、ステッカー形態にしたものや、紙やプラスチックカードに付した形態などがある。
【００４０】
本発明のディスプレイを転写箔として用いることについて説明する。その場合の層構成は、支持体／剥離保護層／回折格子形成層／金属反射層／接着層となる。この層構成のどこかの層に、支持体が剥がされた後の強度を保持するために基材を設けてもよい。
【００４１】
本発明のディスプレイをステッカーとして用いることもできる。その場合の層構成は、基材／回折格子形成層／金属反射層／粘着層となる。
【００４２】
上記した転写箔や、ステッカーは何らかの物品に貼ることによりその物品のセキュリティ性を高めたり意匠性を高めたりすることができる。
例えば、物品がパソコンなどの高価な商品を収める箱などに適用可能である。この場合、本発明のディスプレイがあるかないかで、パソコン・箱が本物であるか偽物であるかを判定するのに使える。
【００４３】
【発明の効果】
本発明によるブレーズド型回折格子及びバイナリ型回折格子から成るディスプレイは以上説明したような構成により、以下に示すような効果を実現することができる。
（１）バイナリ型回折格子セルとブレーズド型回折格子セルを併用することにより、＋１次回折光の観察領域と−１次回折光の観察領域とで異なるパターンを表示することができる。
（２）バイナリ型回折格子セルの＋１次回折光とブレーズド型回折格子セルの＋１次回折光の光量をほぼ同一となるよう制御することで、−１次回折光の観察領域で観察されるパターンを＋１次回折光の観察領域において認識させなくすることができ、セキュリティ性の高いディスプレイを提供することができる。
（３）バイナリ型回折格子セルとブレーズド型回折格子セルを併用することにより、＋１次回折光によるパターンとは別に、−１次回折光によるパターンとして、文字や記号、絵柄等を表示させることができる。
（４）＋１次回折光により写真やイラスト，立体像等を表示する回折格子セルから成るディスプレイにおいても、それらの表示パターンとは異なるパターンを−１次回折光の観察領域に表示させることができる。
（５）また、バイナリ型回折格子とブレーズド型回折格子の双方を用いることで、＋１次回折光で観察する場合、観察領域で表示されるディスプレイの様子を（バイナリ型回折格子だけを使った場合と比べて）変化させないことができ、また、入射光に対し観察領域と対称となる方向に位置する別の観察領域において異なるパターンを表示することが可能となる。これにより観察領域におけるディスプレイの意匠性を維持したままで、セキュリティ性の向上をも見込むことができる。
【図面の簡単な説明】
【図１】矩形状断面をもつバイナリ型回折格子に光が入射した際の回折光分布の様子を示す概念図。
【図２】正弦波状断面をもつバイナリ型回折格子に光が入射した際の回折光分布の様子を示す概念図。
【図３】のこぎり刃状断面をもつブレーズド型回折格子に光が入射した際の回折光分布の様子を示す概念図。
【図４】階段状断面をもつブレーズド型回折格子に光が入射した際の回折光分布の様子を示す概念図。
【図５】バイナリ型回折格子セルから成るディスプレイを＋１次回折光、−１次回折光のそれぞれの観察領域から観察した際の様子を示す概念図。
【図６】ブレーズド型回折格子セルから成るディスプレイを＋１次回折光、−１次回折光のそれぞれの観察領域から観察した際の様子を示す概念図。
【図７】バイナリ型回折格子セルとブレーズド型回折格子セルの双方を同一基材上に配置した請求項１記載のディスプレイの実施例を示す説明図。
【図８】図７を＋１次回折光の観察領域から観察した際の様子を示す説明図。
【図９】図７を−１次回折光の観察領域から観察した際の様子を示す説明図。
【図１０】バイナリ型回折格子セルとブレーズド型回折格子セルの面積が同一のため、観察した際に光量ムラが発生してしまうディスプレイの構成例を示す説明図。
【図１１】バイナリ型回折格子セルとブレーズド型回折格子セルの面積を調節し、観察した際の光量ムラを解消したディスプレイの構成例を示す説明図。
【図１２】＋１次回折光の観察領域においてバイナリ型回折格子セルとブレーズド型回折格子セルの双方によるパターンが観察される様子を示す説明図。
【図１３】−１次回折光の観察領域のおいてバイナリ型回折格子セルによる「ＴＯＰ」のパターンのみが観察されることを示す説明図。
【図１４】図１３のブレーズド型回折格子セルとバイナリ型回折格子セルを入れ替え「ＴＯＰ」の反転表示を行ったパターンを示す説明図。
【図１５】Ｒ、Ｇ、Ｂに対応するセルを配置しカラー表現を行ったディスプレイにおいて、本発明の構成を適用した実施例を示す説明図。
【図１６】視差画像に対応するセルを配置し立体像表現を行ったディスプレイにおいて、本発明の構成を適用した実施例を示す説明図。（立体像と視差画像の関係を示す図。）
【図１７】視差画像に対応するセルを配置し立体像表現を行ったディスプレイにおいて、本発明の構成を適用した実施例を示す説明図。（視差画像の配置を説明する図。）
【符号の説明】
１…矩形状断面のバイナリ型回折格子
２…正弦波状断面のバイナリ型回折格子
３…のこぎり刃状断面のブレーズド型回折格子
４…階段状断面のブレーズド型回折格子
５…バイナリ型回折格子セル
６…ブレーズド型回折格子セル
７…カラー画像
【図１】
2004184725.tif 000003
【図２】
2004184725.tif 000004
【図３】
2004184725.tif 000005
【図４】
2004184725.tif 000006
【図５】
2004184725.tif 000007
【図６】
2004184725.tif 000008
【図７】
2004184725.tif 000009
【図８】
2004184725.tif 000010
【図９】
2004184725.tif 000011
【図１０】
2004184725.tif 000012
【図１１】
2004184725.tif 000013
【図１２】
2004184725.tif 000014
【図１３】
2004184725.tif 000015
【図１４】
2004184725.tif 000016
【図１５】
2004184725.tif 000017
【図１６】
2004184725.tif 000018
【図１７】
2004184725.tif 000019